(57)【特許請求の範囲】
【請求項１】
腰部と、この上下の腰部間に取付けた窓を備え、
前記腰部は、建物の各階を隔てる床スラブの室外側部に取付けられ、かつ前記窓部よりも室外に突出した庇を有し、
前記庇は、窓部よりも室外に開口した外気取入口、窓部よりも室内に開口した空気出口、この外気取入口と空気出口を連通する空気流通路、耐火パネルを有し、
その耐火パネルの室内側部は、耐火性能を有する層間塞ぎ材で前記床スラブの室外側部と連続し、この耐火パネルの室外側部は窓部よりも室外に突出していることを特徴とするカーテンウオール。
【発明の詳細な説明】
【０００１】
【発明の属する技術分野】
本発明は、カーテンウォール、詳しくは室外と室内に亘って空気を流通して室内を換気する換気機能を有するカーテンウォールに関する。
【０００２】
【従来の技術】
建物の各階を隔てる床スラブの前部に取付けた腰部と、上下の腰部間に取付けた窓部を有し、その腰部に室外と室内を連通する空気流通路を設けた換気機能を有するカーテンウォールが提案されている。
【０００３】
【発明が解決しようとする課題】
前述した従来の換気機能を有するカーテンウォールは、腰部に空気流通路が設けてあるので、その空気流通路の長さは腰部の面外方向寸法程度と短かい。
このために、雨水等が空気流通路を通って室内に浸入し易い。室外の音が空気流通路を通って室内に伝わり易い。
【０００４】
そこで、本発明は前述の課題を解決できるようにしたカーテンウォールを提供することを目的とする。
【０００５】
【課題を解決するための手段】
本発明は、腰部と、この上下の腰部間に取付けた窓を備え、
前記腰部は、建物の各階を隔てる床スラブの室外側部に取付けられ、かつ前記窓部よりも室外に突出した庇を有し、
前記庇は、窓部よりも室外に開口した外気取入口、窓部よりも室内に開口した空気出口、この外気取入口と空気出口を連通する空気流通路、耐火パネルを有し、
その耐火パネルの室内側部は、耐火性能を有する層間塞ぎ材で前記床スラブの室外側部と連続し、この耐火パネルの室外側部は窓部よりも室外に突出していることを特徴とするカーテンウオール。
【０００６】
【作  用】
本発明によれば、庇の空気流通路で室外と室内に亘って空気を流通して室内を換気でき、換気機能を有するカーテンウォールである。
前記庇の空気流通路は長いので、その空気流通路を通って雨水等が室内に浸入しないと共に、室外の音が空気流通路を通って室内に伝わることが低減する。
また、庇は耐火パネルを有し、その耐火パネルの室内側部は耐火性能を有する層間塞ぎ材で床スラブの室外側部と連続し、その耐火パネルは窓部よりも室外に突出しているので、火災時に下の階の火炎が上の階に伝わることを庇の耐火パネル、層間塞ぎ材、床スラブで防止でき、腰部に縦長の耐火材料を設ける必要がないから、腰部の上下寸法を小さくできる。
したがって、階高を大きくせずに窓部の上下寸法を大きくして室内からの眺望を良くできると共に、太陽光（自然光）を室内に十分に採り入れることができる。
【００１１】
【発明の実施の形態】
図１に示すように、庇１と、この庇１の下に設けた換気部２を有する腰部３と、この上下の腰部３間に取付けた窓部４でカーテンウォールを構成する。
前記庇１に太陽電池パネル５が取付けてある。
前記窓部４は上枠６と下枠７と左右の縦枠８より成る枠体９にガラス１０を装着してある。
【００１２】
図２に示すように、前記庇１は建物の各階（層）を隔てる床スラブ１１の前部（室外側部）に、窓部４（ガラス１０）よりも室外に突出して取付けてある。
この庇１は、下面室外側部に外気取入口１２、上面室内側部に空気出口１３を有すると共に、その外気取入口１２と空気出口１３を連通する空気流通路１４を有する。
前記外気取入口１２は窓部４よりも室外に開口し、空気出口１３は窓部４よりも室内に開口している。
【００１３】
このようであるから、庇１の空気流通路１４を通って室外と室内に亘って空気が流通し室内を換気することができ、換気機能を有するカーテンウォールである。
また、前記庇１の空気流通路１４は窓部４の面外方向寸法に比べて長いので、雨水等が空気流通路１４を通って室内に浸入することがないし、室外の騒音が空気流通路１４を通って室内に伝わることが低減する。
【００１４】
前記庇１の空気流通路１４内に、その空気流通路１４を連通・遮断する換気扉１５が設けてある。
この換気扉１５で空気流通路１４を遮断することにより、外気取入口１２と空気出口１３に空気が流通しないようにできる。なお、空気流通路１４内に送風機を設けて強制換気できるようにしても良い。
【００１５】
図２に示すように、窓部４の室内側に室内側ガラス１６が設けてあり、この室内側ガラス１６と窓部４（ガラス１０）との間に中間空気層１７を構成する。
この中間空気層１７の下部に前記庇１の空気出口１３が開口している。
前記庇１の下に取付けた換気部２は、中間空気層１７の上部に開口した空気入口１８と、室外に開口した空気出口１９と、この空気出口１９と前記空気入口１８を連通する流通路２０を有し、その流通路２０内に空気出口１９を開閉する換気扉２１が設けてある。
【００１６】
このようであるから、各換気扉１５，２１を開放した状態で中間空気層１７内の空気が太陽熱により加温されると、その中間空気層１７内に上昇気流が発生し、庇１の外気取入口１２と換気部２の空気出口１９とに亘って図２に矢印で示すように空気が流通し、自然換気できる。
【００１７】
次に庇１の具体形状を説明する。
図３に示すように、庇１は、室外側上面板（屋根板）３０と、室外側縦板３１と、下面板３２と、室内側縦板３３と、室内側上面板３４と、耐火パネル３５と、室外側上面板３０の室内側端部に固着した枠体３６で中空部３７を有する形状である。前記枠体３６に固着した鉤形の取付部材３８に耐火パネル３５の室外側部分が固着され、この耐火パネル３５の室内側部にブラケット３９を介して室内側縦板３３が固着してある。前記耐火パネル３５は室内側縦板３３から下面板３２の外気取入口１２近くまで下面板３２と略平行に接近して取付けられ、庇１は耐火構造である。前記各板はアルミ等の金属製である。
【００１８】
前記下面板３２の耐火パネル３５よりも室外側にスリットホールが形成されて前記外気取入口１２を形成している。
前記室内側上面板３４に空気出口１３が形成され、この空気出口１３部分に換気口グリル４０が取付けてある。
これにより、庇１の中空部３７が外気取入口１２と空気出口１３を連通する空気流通路１４を形成する。
【００１９】
前記室内側縦板３３、耐火パネル３５の室内側部（つまり、庇１の室内側部）と床スラブ１１の室外側部との間は、モルタル、ロックウールなどの耐火性能を有する層間塞ぎ材４１で閉塞され、両者は耐火性能を有して連続している。
前記耐火パネル３５は窓部４（ガラス１０）よりも所定寸法、例えば建築基準法で耐火構造として定められている５００ｍｍ以上室外に突出している。
このようであるから、火災時に床スラブ１１を境とした下の階Ａの火炎が上の階Ｂに及ぼすこと（伝わること）を庇１の耐火パネル３５で防止できる。
【００２０】
前述のように庇１で火炎の伝わりを防止したので、従来のように火炎の伝わりを防止するために腰部に縦長（例えば９００ｍｍ以上）の耐火材料、例えば耐火パネルを取付ける必要がなく、腰部（この実施の形態では庇１と換気部２）の上下寸法を小さくして窓部４の上下寸法を大きくできる。
したがって、下の階Ａと上の階Ｂの高さ（階高）を大きくせずに窓部４の上下寸法が大きくなり、室内からの眺望が良くなる共に、太陽光を室内に多量にとり入れることができるカーテンウォールである。
【００２１】
また、窓部４の上下寸法が大きいことによる夏季の太陽光の影響、室外から室内への熱侵入量の増大等は、前述のように庇１の外気取入口１２、中間空気層１７、換気部２による自然換気によって軽減できるので、室内の冷暖房負荷を軽減できる。
【００２２】
前記換気部２は耐火パネル３５にブラケット４２で取付けた室内側縦板４３と、この室内側縦板４３の下部に取付けた下横板４４と、空気出口１９を形成する室外側枠体４５と、その室外側枠体４５の室外側に取付けたルーバー４６を備え、下横板４４は多数の小穴を有するパンチングパネルで空気入口１８を形成している。
前記下横板４４は上枠６に固着され、室外側枠体４５は庇１の下面板３２に固着されている。
この換気部２の室内側縦板４３、庇１の室内側縦板３３の室内側面には断熱材４７がそれぞれ取付けてある。
【００２３】
前記庇１に設けた換気扉１５、換気部２の換気扉２１は、アルミ製中空の扉体１５ａ，２１ａ内にグラスウール１５ｂ，２１ｂを充填した断熱性に優れた扉である。
この各換気扉１５，２１は、その一端部が前記枠体３６、室外側枠体４５に閉じ姿勢と開放姿勢に亘って揺動自在にそれぞれ取付けられ、他端部が開閉機構４８に連結してある。
前記開閉機構４８は、回転軸４８ａとともに揺動する第１アーム４８ｂ、この第１アーム４８ｂに揺動自在に連結した第２アーム４８ｃを備え、その第２アーム４８ｃが各扉体１５ａ，２１ａに揺動自在に連結してある。
前記回転軸４８ａをモータ又は手動で回転することで第１アーム４８ｂ、第２アーム４８ｃが揺動して換気扉１５，２１を閉じ姿勢と開き姿勢に亘って揺動する。
【００２４】
前記窓部４の枠体９を構成する縦枠８は図３と図４に示すように、上枠６、下枠７と面外方向寸法が同一のアルミ等の金属製の縦枠本体５０と、この縦枠本体５０の室内側部に複数のブラケット５１を介して取付けた強化ガラス板などの透光性材より成る透光縦板５２で構成されている。
これによって、縦枠本体５０と透光縦板５２で縦枠８の強度を十分とし、室内から透光縦板５２を通して室外が見えて眺望が向上すると共に、太陽光が透光縦板５２を通して室内に入るので太陽光（自然光）をより多く室内にとり入れることができる。
【００２５】
前記縦枠本体５０は図４と図５に示すように、ガラス取付用の内向凹部５０ａ、中空部５０ｂ、外向凹部５０ｃを有する複雑断面形状で、剛性が大である。
前記ブラケット５１は幅狭の薄板状で、長手方向一端寄りに一対の雌ねじ具５３が長手方向に間隔を置いて取付けてある。
このブラケット５１の長手方向他端部を縦枠本体５０の室内側面に形成した切欠部５０ｄより外向凹部５０ｃに突出し、ビス５４で固着される。
前記透光縦板５２には一対の孔５５が形成してある。この一対の孔５５から雄ねじ５６を雌ねじ具５３にそれぞれ螺合して透光縦板５２を縦枠本体５０の室内側部に取付けてある。
【００２６】
図２と図３に示すように、前記透光縦板５２の上部寄り（つまり中間空気層１７の上部寄り）に遮光ルーバー６０が略水平に取付けてある。
前記遮光ルーバー６０は図６に示すように、所定の厚さと幅を有し、長手方向に連続した空洞部６０ａを幅方向に間隔を置いて複数有する板状、例えば木質材料を圧縮等して成形した再生木製品である。
前記１つの空洞部６０ａにステンレス等の金属製のブラケット受け材６１を嵌合してビス６２で固着してある。
前記透光縦板５２にステンレス等の金属製のブラケット６３を取付け、このブラケット６３の雄ねじ６３ａをブラケット受け６１の雌ねじ６１ａに螺合して遮光ルーバー６０を透光縦板５２に固着してある。
前記ブラケット６３は透光縦板５２の孔６４に挿通し、反対側から取付具６５を螺合して取付けられる。
【００２７】
前記庇１に取付けた太陽電池パネル５の発電力は、前記換気扉１５，２１のモータ等の動力源として利用する。
【００２８】
以上の実施の形態では、庇１の下に換気部２を設けると共に、窓部４の室内側に中間空気層１７を形成し、窓部４の室内側を自然換気するようにしたが、それらを設けずに庇１の空気出口１３を室内に直接又は換気グリルを経て開口しても良い。
【００２９】
【発明の効果】
請求項１に係る発明によれば、庇の空気流通路で室外と室内に亘って空気を流通して室内を換気でき、換気機能を有するカーテンウォールである。
前記庇の空気流通路は長いので、その空気流通路を通って雨水等が室内に浸入しないと共に、室外の音が空気流通路を通って室内に伝わることが低減する。
また、庇は耐火パネルを有し、その耐火パネルの室内側部は耐火性能を有する層間塞ぎ材で床スラブの室外側部と連続し、その耐火パネルは窓部よりも室外に突出しているので、火災時に下の階の火炎が上の階に伝わることを庇の耐火パネル、層間塞ぎ材、床スラブで防止でき、腰部に縦長の耐火材料を設ける必要がないから、腰部の上下寸法を小さくできる。
したがって、階高を大きくせずに窓部の上下寸法を大きくして室内からの眺望を良くできると共に、太陽光（自然光）を室内に十分に採り入れることができる。
【図面の簡単な説明】
【図１】カーテンウォールの一部外観図である。
【図２】カーテンウォールの一部縦断面図である。
【図３】カーテンウォールの腰部の縦断面図である。
【図４】カーテンウォールの窓部の横断面図である。
【図５】カーテンウォールの窓部における縦枠部分の分解斜視図である。
【図６】カーテンウォールの窓部における縦枠部分の分解斜視図である。
【符号の説明】
１…庇
２…換気部
３…腰部
４…窓部
６…上枠
７…下枠
８…縦枠
９…枠体
１０…ガラス
１１…床スラブ
１２…外気取入口
１３…空気出口
１４…空気流通路
１６…室内側ガラス
１７…中間空気層
１８…空気入口
１９…空気出口
３５…耐火パネル
５０…縦枠本体
５１…ブラケット
５２…透光縦板
６０…遮光カバー
【図１】
0003539363.tif 000002
【図２】
0003539363.tif 000003
【図３】
0003539363.tif 000004
【図４】
0003539363.tif 000005
【図５】
0003539363.tif 000006
【図６】
0003539363.tif 000007